(57)【特許請求の範囲】
【請求項１】
ユーザ機器であって、
基地局からアップリンクスケジューリングに関する制御シグナリングを受信するように適合された受信ユニットであって、アップリンクスケジューリングに関する前記受信される制御シグナリングは、トランスポートブロック(TB)の送信をサポートし、変調符号化方式(MCS)フィールド、チャネル品質情報要求フィールド、および複数のダウンリンクキャリアのチャネル品質情報を送信するために前記ユーザ機器に前記基地局によって割り当てられた、NRBで表されるリソースブロック(RB)の数を示すリソースブロック割り当てフィールドを含み、前記NRBは正の整数である、受信ユニットと、
アップリンク共有チャネルでチャネル品質情報のみを送信する条件が満たされるときに、前記基地局に、前記割り当てられたRBに従って前記アップリンク共有チャネルで複数のダウンリンクキャリアの前記チャネル品質情報のみを送信するように適合された送信ユニットとを備え、
前記アップリンク共有チャネルでチャネル品質情報のみを送信する前記条件が、以下、すなわち、
前記TBに対応する前記MCSフィールドが、再送信データパケットに対応するMCSを示すことと、
前記チャネル品質情報要求フィールドが、複数のダウンリンクキャリアの前記チャネル品質情報の送信の要求を示すことと、
前記NRBが閾値以下であり、前記閾値が、Nで表される前記複数のダウンリンクキャリアの数、および1つのダウンリンクキャリアのチャネル品質情報のみを送信するために割り当てられ得るRBの最大数に関連し、Nは1より大きい正の整数であることと
を含む、
ユーザ機器。
【請求項２】
アップリンクスケジューリングに関する前記制御シグナリングが2つのTBの送信をサポートする場合に、前記条件が、以下、すなわち、
アップリンクスケジューリングに関する前記受信される制御シグナリングが、前記2つのTBのうちの1つのみが有効化されることを示し、前記再送信データパケットに対応する前記MCSを示す前記MCSフィールドが、前記有効化される1つのTBに対応するMCSフィールドであることをさらに含む、
請求項1に記載のユーザ機器。
【請求項３】
アップリンクスケジューリングに関する前記制御シグナリングが2つのTBの送信をサポートする場合に、前記条件が、アップリンクスケジューリングに関する前記受信される制御シグナリングがランク値を示すことをさらに含む請求項2に記載のユーザ機器。
【請求項４】
前記再送信データパケットに対応する前記MCSを示す前記MCSフィールドの値が、29に等しくなるように構成される請求項1から3のいずれか一項に記載のユーザ機器。
【請求項５】
1つのダウンリンクキャリアの前記チャネル品質情報のみをレポートするために割り当てられ得るRBの前記最大数が4である請求項1から4のいずれか一項に記載のユーザ機器。
【請求項６】
前記閾値が、1つのダウンリンクキャリアの前記チャネル品質情報のみを送信するために割り当てられ得るRBの前記最大数のN倍である請求項1から5のいずれか一項に記載のユーザ機器。
【請求項７】
チャネル品質情報を送信するための方法であって、
ユーザ機器によって、基地局からアップリンクスケジューリングに関する制御シグナリングを受信するステップであって、アップリンクスケジューリングに関する前記受信される制御シグナリングは、トランスポートブロック(TB)の送信をサポートし、変調符号化方式(MCS)フィールド、チャネル品質情報要求フィールド、および複数のダウンリンクキャリアのチャネル品質情報を送信するために前記ユーザ機器に前記基地局によって割り当てられた、NRBで表されるリソースブロック(RB)の数を示すリソースブロック割り当てフィールドを含み、前記NRBは正の整数である、ステップと、
前記ユーザ機器によって、アップリンク共有チャネルでチャネル品質情報のみを送信する条件が満たされるときに、前記基地局に、前記割り当てられたRBに従って前記アップリンク共有チャネルで複数のダウンリンクキャリアの前記チャネル品質情報のみを送信するステップとを含み、
前記アップリンク共有チャネルでチャネル品質情報のみを送信する前記条件が、以下、すなわち、
前記TBに対応する前記MCSフィールドが、再送信データパケットに対応するMCSを示すことと、
前記チャネル品質情報要求フィールドが、複数のダウンリンクキャリアの前記チャネル品質情報の送信の要求を示すことと、
前記NRBが閾値以下であり、前記閾値が、Nで表される前記複数のダウンリンクキャリアの数、および1つのダウンリンクキャリアのチャネル品質情報のみを送信するために割り当てられ得るRBの最大数に関連し、Nは1より大きい正の整数であることとを含む、
方法。
【請求項８】
アップリンクスケジューリングに関する前記制御シグナリングが2つのTBの送信をサポートする場合に、前記条件が、以下、すなわち、
アップリンクスケジューリングに関する前記受信される制御シグナリングが、前記2つのTBのうちの1つのみが有効化されることを示し、前記再送信データパケットに対応する前記MCSを示す前記MCSフィールドが、前記有効化される1つのTBに対応するMCSフィールドであることをさらに含む、
請求項7に方法。
【請求項９】
アップリンクスケジューリングに関する前記制御シグナリングが2つのTBの送信をサポートする場合に、前記条件が、アップリンクスケジューリングに関する前記受信される制御シグナリングがランク値を示すことをさらに含む請求項8に記載の方法。
【請求項１０】
前記再送信データパケットに対応する前記MCSを示す前記MCSフィールドの値が、29に等しくなるように構成される請求項7から9のいずれか一項に記載の方法。
【請求項１１】
1つのダウンリンクキャリアの前記チャネル品質情報のみをレポートするために割り当てられ得るRBの前記最大数が4である請求項7から10のいずれか一項に記載の方法。
【請求項１２】
前記閾値が、1つのダウンリンクキャリアの前記チャネル品質情報のみを送信するために割り当てられ得るRBの前記最大数のN倍である請求項7から11のいずれか一項に記載の方法。
【請求項１３】
ユーザ機器であって、
基地局からアップリンクスケジューリングに関する制御シグナリングを受信するように構成された受信ユニットであって、アップリンクスケジューリングに関する前記受信される制御シグナリングは、2つのトランスポートブロック(TB)の送信をサポートし、前記TBにそれぞれ対応する2つの変調符号化方式(MCS)フィールド、チャネル品質情報要求フィールド、および1つのダウンリンクキャリアのチャネル品質情報を送信するために前記ユーザ機器に前記基地局によって割り当てられた、NRBで表されるリソースブロック(RB)の数を示すリソースブロック割り当てフィールドを含み、前記NRBは正の整数である、受信ユニットと、
アップリンク共有チャネルでチャネル品質情報のみを送信する条件が満たされるときに、前記基地局に、前記割り当てられたRBに従って前記アップリンク共有チャネルで1つのダウンリンクキャリアの前記チャネル品質情報のみを送信するように構成された送信ユニットとを備え、
前記アップリンク共有チャネルでチャネル品質情報のみを送信する前記条件が、以下、すなわち、
アップリンクスケジューリングに関する前記受信される制御シグナリングが、前記2つのTBのうちの1つのみが有効化され、前記2つのTBのうちの他が無効化されることを示すことと、
前記有効化されるTBに対応するMCSフィールドが、再送信データパケットに対応するMCSを示すことと、
前記チャネル品質情報要求フィールドが、前記チャネル品質情報の送信の要求を示すことと、
前記NRBが、1つのダウンリンクキャリアの前記チャネル品質情報のみを送信するために割り当てられ得るRBの最大数以下であることとを含む、
ユーザ機器。
【請求項１４】
前記条件が、アップリンクスケジューリングに関する前記受信される制御シグナリングがランク値を示すことをさらに含む請求項13に記載のユーザ機器。
【請求項１５】
前記有効化されるTBに対応する前記MCSフィールドの値が29である請求項13または14に記載のユーザ機器。
【請求項１６】
前記NRBが4以下である請求項13から15のいずれか一項に記載のユーザ機器。
【請求項１７】
チャネル品質情報を送信するための方法であって、
ユーザ機器によって、基地局からアップリンクスケジューリングに関する制御シグナリングを受信するステップであって、アップリンクスケジューリングに関する前記受信される制御シグナリングは、2つのトランスポートブロック(TB)の送信をサポートし、前記TBにそれぞれ対応する2つの変調符号化方式(MCS)フィールド、チャネル品質情報要求フィールド、および1つのダウンリンクキャリアのチャネル品質情報を送信するために前記ユーザ機器に前記基地局によって割り当てられた、NRBで表されるリソースブロック(RB)の数を示すリソースブロック割り当てフィールドを含み、前記NRBは正の整数である、ステップと、
前記ユーザ機器によって、アップリンク共有チャネルでチャネル品質情報のみを送信する条件が満たされるときに、前記基地局に、前記割り当てられたRBに従って前記アップリンク共有チャネルで1つのダウンリンクキャリアの前記チャネル品質情報のみを送信するステップとを含み、
前記アップリンク共有チャネルでチャネル品質情報のみを送信する前記条件が、以下、すなわち、
アップリンクスケジューリングに関する前記受信される制御シグナリングが、前記2つのTBのうちの1つのみが有効化され、前記2つのTBのうちの他が無効化されることを示すことと、
前記有効化されるTBに対応するMCSフィールドが、再送信データパケットに対応するMCSを示すことと、
前記チャネル品質情報要求フィールドが、前記チャネル品質情報の送信の要求を示すことと、
前記NRBが、1つのダウンリンクキャリアの前記チャネル品質情報のみを送信するために割り当てられ得るRBの最大数以下であることとを含む、方法。
【請求項１８】
前記条件が、アップリンクスケジューリングに関する前記受信される制御シグナリングがランク値を示すことをさらに含む請求項17に記載の方法。
【請求項１９】
前記有効化されるTBに対応する前記MCSフィールドの値が29である請求項17または18に記載の方法。
【請求項２０】
前記NRBが4以下である請求項17から19のいずれか一項に記載の方法。
【請求項２１】
請求項1から6または請求項13から16のいずれか一項に記載のユーザ機器と、基地局とを含む通信システム。
【請求項２２】
請求項7から12のいずれか一項に記載の方法または請求項17から20のいずれか一項に記載の方法をコンピュータに実行させるプログラムを記録するコンピュータ可読ストレージ媒体。
【発明の詳細な説明】
【技術分野】
【０００１】
本出願は、2010年11月9日に中国専利局に出願した、「METHOD, BASE STATION AND USER EQUIPMENT FOR TRANSMITTING CHANNEL QUALITY INFORMATION」と題した中国特許出願第201010538259.3号の優先権を主張するものであり、この特許出願は、その全体が参照により本明細書に組み込まれている。
【０００２】
本発明は、通信技術の分野に関し、詳細には、チャネル品質情報を送信するための方法、基地局、およびユーザ機器に関する。
【背景技術】
【０００３】
LTE(Long Term Evolution、ロングタームエボリューション)システムにおいては、UE(User Equipment、ユーザ機器)が、測定を行うことによって得られたダウンリンクチャネル品質情報を基地局にフィードバックする必要がある。チャネル品質情報は、CQI(channel quality indicator、チャネル品質インジケータ)、PMI(Precoding matrix indicator、プリコーディング行列インジケータ)、およびRI(Rank indication、ランク指示)を含む。チャネル品質情報は、UCI(Uplink Control Signaling、アップリンク制御シグナリング)とも呼ばれる。
【０００４】
従来技術のチャネル品質情報を送信するための方法においては、UCIのために基地局によって割り当てられるアップリンクスケジューリング帯域幅は、通常、決まった範囲内の値である。したがって、UEは、決まった範囲の帯域幅を通じてのみUCIを送信することができ、スケジューリング帯域幅は、UCIのビット数に応じてUCIのために適応的に割り当てることができない。UCIのビット数がそのUCIのために割り当てられたスケジューリング帯域幅を超えるとき、割り当てられたリソースは、UCIの送信のために十分でなく、したがって、送信性能が満足され得ない。
【発明の概要】
【発明が解決しようとする課題】
【０００５】
本発明は、チャネル品質情報のビット数に応じたリソースブロックの数の割り当てを実施するためのチャネル品質情報を送信するための方法、基地局、およびユーザ機器を提供する。
【課題を解決するための手段】
【０００６】
一態様において、本発明は、チャネル品質情報を送信するための方法を提供する。方法は、
Y個のダウンリンクキャリアのチャネル品質情報が、X個のアップリンクキャリアを通じて基地局にユーザ機器によってフィードバックされる必要があるときに、基地局によって、チャネル品質情報のビット数と、XおよびYが1以上の正の整数である構成(configuration) X/Yに対応する1組のリソースブロック数とに応じてユーザ機器にリソースブロックを割り当てるステップ、ならびに
基地局によって、割り当てられたリソースブロックの数をアップリンクスケジューリングのUL-grantに関する制御シグナリングで構成し、基地局によって、そのUL-grantシグナリングをユーザ機器に送信するステップ
を含む。
【０００７】
それに対応して、基地局が提供され、基地局は、
Y個のダウンリンクキャリアのチャネル品質情報が、X個のアップリンクキャリアを通じて基地局にユーザ機器によってフィードバックされる必要があるときに、チャネル品質情報のビット数と、XおよびYが1以上の正の整数である構成X/Yに対応する1組のリソースブロック数とに応じてユーザ機器にリソースブロックを割り当てるように適合された割り当てユニット、ならびに
割り当てられたリソースブロックの数をアップリンクスケジューリングのUL-grantに関する制御シグナリングで構成し、そのUL-grantシグナリングをユーザ機器に送信するように適合された構成ユニット
を含む。
【０００８】
別の態様において、本発明は、チャネル品質情報を送信するための方法を提供する。方法は、
Y個のダウンリンクキャリアのチャネル品質情報が、X個のアップリンクキャリアを通じて基地局にユーザ機器によってフィードバックされる必要があるときに、ユーザ機器によって、アップリンクスケジューリングのUL-grantに関する制御シグナリングを受信し、ユーザ機器によって、チャネル品質情報のビット数と、XおよびYが1以上の正の整数である構成X/Yに対応する1組のリソースブロック数とに応じて基地局によってユーザ機器に割り当てられたリソースブロックの数を取得するステップ、ならびに
ユーザ機器によって、基地局によって割り当てられたリソースブロックに従って基地局にチャネル品質情報を送信するステップ
を含む。
【０００９】
それに対応して、本発明の一実施形態は、ユーザ機器を提供し、ユーザ機器は、
Y個のダウンリンクキャリアのチャネル品質情報が、X個のアップリンクキャリアを通じて基地局にユーザ機器によってフィードバックされる必要があるときに、アップリンクスケジューリングのUL-grantに関する制御シグナリングを受信し、チャネル品質情報のビット数と、XおよびYが1以上の正の整数である構成X/Yに対応する1組のリソースブロック数とに応じて基地局によってユーザ機器に割り当てられたリソースブロックの数を取得するように適合された受信ユニット、ならびに
基地局によって割り当てられたリソースブロックに従って基地局にチャネル品質情報を送信するように適合された送信ユニット
を含む。
【発明の効果】
【００１０】
基地局が、チャネル品質情報のビット数と1組のリソースブロック数とに応じてユーザ機器にリソースブロックを割り当てることができ、それにより、アップリンクスケジューリング帯域幅の適応的な割り当てを可能にし、ひいては、決まった帯域幅リソースが原因でユーザ機器によってチャネル品質情報の送信性能を満足することができない弱点を克服することが、本発明によって提供される上述の技術的な解決策から理解され得る。
【００１１】
本発明の実施形態による技術的な解決策をより明瞭に示すために、それらの実施形態を説明するための添付の図面が、以下で簡単に紹介される。以下の説明の添付の図面は本発明の一部の実施形態であるに過ぎず、当業者は創造的な努力をすることなしに添付の図面からその他の図面を導き出すことができることに留意されたい。
【図面の簡単な説明】
【００１２】
【図１】本発明の一実施形態によるチャネル品質情報を送信するための方法の概略的な流れ図である。
【図２】本発明の一実施形態による基地局の概略図1である。
【図３】本発明の一実施形態による基地局の概略図2である。
【図４】本発明の一実施形態によるチャネル品質情報を送信するための方法の概略的な流れ図である。
【図５】本発明の一実施形態による基地局の概略図である。
【図６】本発明の一実施形態によるチャネル品質情報を送信するための方法の概略的な流れ図である。
【図７】本発明の一実施形態によるユーザ機器の概略図1である。
【図８】本発明の一実施形態によるユーザ機器の概略図2である。
【発明を実施するための形態】
【００１３】
以降、本発明の実施形態の技術的な解決策が、添付の図面を参照して詳細に説明される。説明される実施形態は、本発明のすべての実施形態ではなく、本発明の一部の例示的な実施形態であるに過ぎないことに留意されたい。本明細書で与えられる実施形態から、まったく創造的な努力をすることなしに当業者によって導き出され得るすべてのその他の実施形態は、本発明の保護範囲内にある。
【００１４】
図1に示されるように、本発明の一実施形態は、チャネル品質情報を送信するための方法を提供する。方法は、以下を含む。
【００１５】
ステップ11: Y個のダウンリンクキャリアのチャネル品質情報が、X個のアップリンクキャリアを通じてユーザ機器によって基地局にフィードバックされる必要があるとき、基地局が、チャネル品質情報のビット数と、XおよびYが1以上の正の整数である構成X/Yに対応する1組のリソースブロック数とに応じてユーザ機器にリソースブロックを割り当てる。
【００１６】
ステップ12: 基地局が、割り当てられたリソースブロックの数をアップリンクスケジューリングのUL-grantに関する制御シグナリングで構成し、そのUL-grantシグナリングをユーザ機器に送信する。
【００１７】
本発明のこの実施形態において、チャネル品質情報を送信するための方法を実行する主体は、LTEシステムの基地局である可能性がある。チャネル品質情報は、CQI、PMI、およびRIを含む可能性がある。チャネル品質情報は、UCIとも呼ばれる。
【００１８】
基地局は、本明細書において説明されない特定の送信精度(transmission accuracy rate)を保証しながら、UCIのビット数に応じてUCIのためのPRBの数を割り当てることができる。
【００１９】
任意的に、ステップ12の後、チャネル品質情報のみが、アップリンク共有チャネルでユーザ機器によって送信されるか、またはチャネル品質情報は、UL-SCH(Uplink Shared Channel、アップリンク共有チャネル)データと多重化されることによってアップリンク共有チャネルで送信される可能性がある。
【００２０】
基地局は、チャネル品質情報のビット数および1組のリソースブロック数に応じてユーザ機器にリソースブロックを割り当てることができることが、本発明のこの実施形態によって提供される上述の技術的な解決策から理解され得る。結果として、アップリンクスケジューリング帯域幅が、チャネル品質情報を送信するために適応的に割り当てられ得る。加えて、ユーザ機器がチャネル品質情報を送信する決まった帯域幅リソースが原因で送信性能が保証できないという弱点が、解決され得る。
【００２１】
本発明のこの実施形態によるチャネル品質情報を送信するための方法において、ステップ11の、チャネル品質情報のビットと、構成X/Yに対応する1組のリソースブロック数とに応じて、基地局によってユーザ機器にリソースブロックを割り当てることは、以下を含み得る。
基地局がアップリンク共有チャネルでチャネル品質情報のみを送信するようにユーザ機器に要求するときに、基地局が、チャネル品質情報のビット数、および構成X/Yに対応する1組のリソースブロック数に応じてユーザ機器にZ個のリソースブロックを割り当て、Zは、構成X/Yに対応するその1組のリソースブロック数に属する正の整数である。
【００２２】
構成X/Yに対応する1組のリソースブロック数は、基地局の情報テーブルに記憶される。情報テーブルは、以下を含み得る。
X = 1およびY = 1の状況の構成1/1に対応する1組のリソースブロック数。構成1/1に対応する1組のリソースブロック数は、MおよびNが1以上の正の整数であるものとして、ユーザ機器が1つのアップリンクキャリアを通じて1つのダウンリンクキャリアのチャネル品質情報をフィードバックする必要があり、1つのダウンリンクキャリアのチャネル品質情報がM個の異なるビット数を有する状況で、1つのダウンリンクキャリアのチャネル品質情報に関するM個の異なるビット数に割り当てられ得るN個の異なるリソースブロック数を含むか、または第1の最大値がN個の異なるリソースブロック数の中の最大の数であるものとして、第1の最大値以下の正の整数を含む。
X≠1またはY≠1の状況の構成X/Yに対応する1組のリソースブロックの数。構成X/Yに対応する1組のリソースブロック数は、Lが1より大きい正の整数であるものとして、N個の異なるリソースブロック数および構成X/Yに応じて得られるL個の異なるリソースブロック数を含むか、またはL個の異なるリソースブロック数の中の最大の数である第2の最大値以下の正の整数を含む。
【００２３】
例として、X = 1およびY = 1、したがって、構成が1/1、つまり1つのダウンリンクキャリアのUCIが1つのアップリンクキャリアを通じてフィードバックされ、UCIが10ビット、20ビット、30ビット、または40ビットなどの異なるビット数である状況に関して、UCIの異なるビット数に対応する、基地局によって割り当てられるPRB(Physical Resource Block、物理リソースブロック)の数は、例えば、1、2、3、および4である可能性がある。[1, 2, 3, 4]によって形成される組は、1組のリソースブロック数C1と呼ばれる可能性がある。加えて、UCIの異なるビット数に対して基地局によって割り当てられる1、2、3、または4などのPRBの異なる数の中の第1の最大値は、4である。この場合、4以下の正の整数によって形成される組が、1組のリソースブロック数C1である可能性がある。
【００２４】
X = 1、Y = Nであり、構成が1/Nである、つまり、N個のダウンリンクキャリアのUCIが1つのアップリンクキャリアを通じてフィードバックされる状況では、UCIのために基地局によって割り当てられるPRBの数は、例えば、N、2*N、3*N、または4*Nである可能性がある。この場合、[N, 2*N, 3*N, 4*N]によって形成される組は、1組のリソースブロック数CNと呼ばれる可能性がある。異なるビット数に関してUCIのために基地局によって割り当てられるN、2*N、3*N、および4*NなどのPRBの異なる数の中の第2の最大値は、4*Nである。この場合、4*N以下の正の整数によって形成される組が、1組のリソースブロック数CNである可能性がある。
【００２５】
そのとき、C1、C2、…、CNが、組[C1, C2 …CN]を形成し、組[C1, C2 …CN]が、情報テーブルに記憶され得る。情報テーブルは、1つのキャリアの場合のPRBの数の構成のみではなく、UCIのビットが大幅に増やされるマルチキャリアの場合のPRBの数の構成も含むことが理解され得る。
【００２６】
加えて、UEの観点で見ると、任意的に、UEは、上位レイヤのシグナリングまたは動的なシグナリングの構成によって情報テーブル[C1, C2 …CN]を取得する可能性がある。UEは、キャリアの数またはその他の条件に応じて組[C1, C2 …CN]を暗黙的に導出する可能性がある。
【００２７】
任意的に、本発明のこの実施形態によるチャネル品質情報を送信するための方法のステップ12は、以下を含み得る。
ユーザ機器が、基地局によって割り当てられたリソースブロックに従ってアップリンク共有チャネルで基地局にチャネル品質情報のみを送信するように、基地局が、再送信データパケットに対応する変調符号化方式、チャネル品質情報トリガ要求(channel quality information triggering request)、および割り当てられたリソースブロックの数を示すためにUL-grantシグナリングを構成し、そのUL-grantシグナリングをユーザ機器に送信する。
【００２８】
例として、UL-grantシグナリングの複数のフィールドが、3GPP_Rel-8規格に基づいて構成される。例えば、変調符号化方式のインデックスが29、30、または31であることを示すために、UL-grantシグナリングでIMCS = 29、IMCS = 30、またはIMCS = 31が構成される。インデックス29、30、または31は、再送信データパケットに対応する変調符号化方式のみを示しており、つまり、その変調符号化方式は、再送信アップリンクデータに対応する変調符号化方式である。MCSは、(Modulation and Coding Scheme、変調符号化方式)を指す。基地局がUEにダウンリンクチャネル品質情報をフィードバックするように要求することを意味するCQIトリガ要求を示すために、UL-grantシグナリングでCQI-request = 1が構成される。UL-grantシグナリングでNPRB = n_PRB_UCI(n_PRB_UCI∈N_PRB_UCI)が構成される。N_PRB_UCIは、PRBの数の組によって形成された組[C1, C2 …CN]を表し、n_PRB_UCIは、CNなどの、C1, C2,…, CNのうちの1つを表し、NPRBは、組CNの中の値などの、基地局によって割り当てられたPRBの数を表す。PUSCH(Physical Uplink Shared Channel、物理アップリンク共有チャネル)でUL-SCHデータが送信されないことと、基地局によって割り当てられたリソースブロックに従ってUEによってPUSCHでダウンリンクチャネル品質情報のみが送信されることとを一緒になって示すようにUL-grantシグナリングの複数のフィールドが構成される。
【００２９】
3GPP_Rel-8規格によれば、変調符号化方式のインデックスが29、30、または31であることを示すために、IMCS = 29、IMCS = 30、またはIMCS = 31が使用される。インデックス29、30、または31は、再送信データパケットのためにのみ有効な対応する変調符号化方式を示し、本明細書において詳細に説明されないインデックス0〜28とは異なる。
【００３０】
加えて、UL-grantシグナリングは、1つのTB(Transport block、トランスポートブロック)の送信をサポートする可能性があり、2つのTBの送信もサポートする可能性がある。
【００３１】
したがって、特に、上述のステップ12において、基地局が、再送信データパケットに対応する変調符号化方式を示すためにUL-grantシグナリングを構成することは、以下を含み得る。
UL-grantシグナリングが1つのトランスポートブロックの送信をサポートする場合、基地局が、再送信データパケットに対応する変調符号化方式を示すためにUL-grantシグナリングでそのトランスポートブロックに対応するビットフィールド(例えば、変調符号化方式ビットフィールドIMCS)を、例えば、IMCS = 29に構成し、
あるいは、UL-grantシグナリングが2つのトランスポートブロックの送信をサポートする場合、基地局が、再送信データパケットに対応する変調符号化方式を示すためにUL-grantシグナリングでそれら2つのトランスポートブロックに対応するビットフィールドを、例えば、IMCS = 29に構成し、
あるいは、UL-grantシグナリングが2つのトランスポートブロックの送信をサポートする場合、基地局が、再送信データパケットに対応する変調符号化方式を示すためにUL-grantシグナリングでそれら2つのトランスポートブロックのうちの1つに対応するビットフィールドを、例えば、IMCS = 29に構成する。
【００３２】
3GPP_Rel-8規格との下位互換性を保つように3GPP_Rel-8規格に基づいて、UL-grantシグナリングは、基地局によって割り当てられたPRBに従ってPUSCHでUCIを送信するようにユーザ機器に指示するために構成されることが理解され得る。加えて、UCI情報のビット数が特定の制限を超えるときにリソースが制限されるかまたはUCIの送信性能が落ちる問題が、複雑化することなしに解決される。
【００３３】
任意的に、本発明のこの実施形態によるチャネル品質情報を送信するための方法のステップ12は、以下を含み得る。
ユーザ機器が、基地局によって割り当てられたリソースブロックに従ってアップリンク共有チャネルで基地局にチャネル品質情報のみを送信するように、基地局が、対応するトランスポートブロックが無効化されることを示すためにUL-grantシグナリングで少なくとも1つのトランスポートブロックに対応するビットフィールドを構成し(例えば、UL-grantの2つ以上のフィールドの組み合わせ、例えば、再送信データパケットに対応する変調符号化方式と最初の送信データパケットを示す新規データインジケータ(new data indicator)との組み合わせ、または最初の送信データパケットに対応する変調符号化方式と再送信データパケットを示す新規データインジケータとの組み合わせがそのビットフィールドとして使用される)、チャネル品質情報トリガ要求、および割り当てられたリソースブロックの数を示すためにUL-grantシグナリングを構成し、そのUL-grantシグナリングをユーザ機器に送信する。割り当てられたリソースブロックの数が構成X/Yに対応する1組のリソースブロック数に属さないとしても、基地局は、対応するトランスポートブロックが無効化されることとチャネル品質情報トリガ要求とを示すためにUL-grantシグナリングで少なくとも1つのトランスポートブロックに対応するビットフィールドを構成することによって、基地局によって割り当てられたリソースブロックに従ってアップリンク共有チャネルで基地局にチャネル品質情報のみを送信するようにユーザ機器をトリガすることができることに留意されたい。
【００３４】
特に、UL-grantシグナリングが1つのTBの送信をサポートする場合、基地局は、ユーザ機器が、基地局によって割り当てられたリソースブロックの数に従ってアップリンク共有チャネルで基地局にチャネル品質情報のみを送信することができるように、TBがdisable(無効化)されることを示すためにUL-grantシグナリングでそのTBに対応するビットフィールドを構成し、チャネル品質情報トリガ要求、および基地局によって割り当てられたリソースブロックの数を示すためにUL-grantシグナリングを構成する。
【００３５】
あるいは、UL-grantシグナリングが2つのTBの送信をサポートする場合、基地局は、ユーザ機器が、基地局によって割り当てられたリソースブロックの数に従ってアップリンク共有チャネルで基地局にチャネル品質情報のみを送信するように、対応するTBが無効化されることを示すためにUL-grantシグナリングでそれら2つのTBのうちの1つに対応するビットフィールドを構成し、チャネル品質情報トリガ要求、および基地局によって割り当てられたリソースブロックの数を示すためにUL-grantシグナリングを構成する。
【００３６】
あるいは、UL-grantシグナリングが2つのトランスポートブロックの送信をサポートする場合、基地局は、ユーザ機器が、基地局によって割り当てられたリソースブロックの数に従ってアップリンク共有チャネルで基地局にチャネル品質情報のみを送信するように、それら2つのTBの両方が無効化されることを示すためにUL-grantシグナリングで2つのTBに対応するビットフィールドを構成し、チャネル品質情報トリガ要求、および基地局によって割り当てられたリソースブロックの数を示すためにUL-grantシグナリングを構成する。
【００３７】
TBの無効化とCQI-request = 1との組み合わせが、アップリンク共有チャネルで基地局にチャネル品質情報のみを送信するようにユーザ機器をトリガするために使用可能であることが理解され得る。さらに、基地局によって割り当てられたPRBの数を用いて、ユーザ機器は、基地局によって割り当てられたリソースブロックによってアップリンク共有チャネルで基地局にチャネル品質情報のみを送信することができる。
【００３８】
加えて、UL-grantシグナリングの複数のフィールドが、基地局にアップリンク共有チャネルでチャネル品質情報のみを送信するようにユーザ機器をトリガするように構成され、ユーザ機器が、基地局によって割り当てられたリソースブロックに従ってアップリンク共有チャネルで基地局にチャネル品質情報を送信することができる限り、UL-grantシグナリングのどの特定のフィールドが構成されるかについて制限はない。
【００３９】
例えば、UL-grantシグナリングの「Precoding information(プリコーディング情報)」フィールドは、UCIを送信するためのプリコーディングベクトルを示すことができる。そのとき、UCIが1つのCW(Code Word、コードワード)で送信されるのか、それとも2つのCW(コードワード)で送信されるのかが暗黙的に知られる可能性があり、チャネル行列のrank(ランク)値も暗黙的に知られる可能性がある。したがって、「Precoding information」フィールドは、アップリンク共有チャネルで基地局にチャネル品質情報のみを送信するようにユーザ機器をトリガするためにUL-grantシグナリングのその他のフィールドと一緒に構成され得る。
【００４０】
任意的に、本発明のこの実施形態によるチャネル品質情報を送信するための方法のステップ12は、以下を含み得る。
ユーザ機器が、基地局によって割り当てられたリソースブロックに従ってアップリンク共有チャネルで基地局にチャネル品質情報のみを送信することができるように、基地局が、再送信データパケットに対応する変調符号化方式を示すためにUL-grantシグナリングを構成し、最初の送信データパケットを示すためにUL-grantシグナリングで新規データインジケータを構成し、チャネル品質情報トリガ要求、および基地局によって割り当てられたリソースブロックの数を示すためにUL-grantシグナリングを構成する。割り当てられたリソースブロックの数が構成X/Yに対応する1組のリソースブロック数に属さないとしても、基地局は、再送信データパケットに対応する変調符号化方式、最初の送信データパケットを示す新規データインジケータ、およびチャネル品質情報トリガ要求を示すためにUL-grantシグナリングを構成するだけで、基地局によって割り当てられたリソースブロックに従ってアップリンク共有チャネルで基地局にチャネル品質情報のみを送信するようにユーザ機器をトリガすることができることに留意されたい。
【００４１】
一例においては、IMCS = 29、最初の送信データパケットを示すNDI(New Data Indicator、新規データインジケータ)、CQI-request = 1、およびNPRB = n_PRB_UCI(n_PRB_UCI∈N_PRB_UCI)がUL-grantシグナリングで構成されるなど、UL-grantシグナリングの複数のフィールドが構成される。IMCS = 29は、変調符号化方式のインデックスが29であることを示す。インデックス29は、再送信データパケットに対応する変調符号化方式を示す。NDIに関して、具体的には、NDIが最初の送信データパケットを示すかどうかは、NDIがトグル式に切り替えられるかどうか(トグル式に切り替えられた状態にあるかどうか)よって判定される。トグル式に切り替えられた状態とは、NDIの状態が、前回の状態と異なることを意味する。NDIが前回1である場合、トグルの後、NDIは今回0であるはずであり、NDIが前回0である場合、トグルの後、NDIは今回1であるはずである。そうでなければ、NDIはトグル式に切り替えられておらず、そのことは、最初に送信されたデータパケットではなく、再送信データパケットを示す。CQI-request = 1は、基地局がUEにチャネル品質情報をフィードバックするように要求することを意味するCQIトリガ要求を示すために使用される。UL-grantシグナリングのNPRB = n_PRB_UCI(n_PRB_UCI∈N_PRB_UCI)は、基地局によって割り当てられたPRBの数を示す。
【００４２】
したがって、IMCS = 29が再送信データパケットを示すが、トグル式に切り替えられたNDIが最初の送信データパケットを示すと、UL-grantシグナリングの支離滅裂な指示を生じる。したがって、UL-SCHデータは、PUSCHで送信され得ない。さらに、CQI-request = 1と基地局によって割り当てられたPRBの数とによって、ユーザ機器は、PUSCHでチャネル品質情報のみを送信することができる。
【００４３】
同様に、IMCS = 30およびIMCS = 31も、本発明のこの実施形態によるチャネル品質情報を送信するための方法に適用可能であり、これについては本明細書において詳細な説明は繰り返さない。
【００４４】
あるいは、ステップ12は以下を含み得る。ユーザ機器が、基地局によって割り当てられたリソースブロックに従って基地局にアップリンク共有チャネルでチャネル品質情報のみを送信することができるように、基地局が、最初の送信データパケットに対応する変調符号化方式を示すためにUL-grantシグナリングを構成し、再送信データパケットを示すためにUL-grantシグナリングで新規データインジケータを構成し、チャネル品質情報トリガ要求、および基地局によって割り当てられたリソースブロックの数を示すためにUL-grantシグナリングを構成する。割り当てられたリソースブロックの数が構成X/Yに対応する1組のリソースブロック数に属さないとしても、基地局は、最初の送信データパケットに対応する変調符号化方式、再送信データパケットを示す新規データインジケータ、およびチャネル品質情報トリガ要求を示すためにUL-grantシグナリングを構成するだけで、基地局によって割り当てられたリソースブロックに従ってアップリンク共有チャネルで基地局にチャネル品質情報のみを送信するようにユーザ機器をトリガすることができることに留意されたい。
【００４５】
例として、IMCS = 0、トグル式に切り替えられていないNDI、CQI-request = 1、およびNPRB = n_PRB_UCI(n_PRB_UCI∈N_PRB_UCI)などのUL-grantシグナリングの複数のフィールドが、UL-grantシグナリングで構成される。IMCS = 0は、変調符号化方式のインデックスが0であることを示す。インデックス0は、最初の送信データパケットに対応する変調符号化方式を示す。つまり、IMCS = 0は、データパケットの最初の送信に対応する変調符号化方式を示す。トグル式に切り替えられていないNDIは、再送信データパケットを示す。CQI-request = 1は、基地局がUEにチャネル品質情報をフィードバックするように要求することを意味するCQIトリガ要求を示す。NPRB = n_PRB_UCI(n_PRB_UCI∈N_PRB_UCI)は、基地局によって割り当てられたPRBの数を示す。
【００４６】
したがって、IMCS = 0が最初の送信データパケットを示すが、トグル式に切り替えられていないNDIが再送信データパケットを示すと、UL-grantシグナリングの支離滅裂な指示を生じる。したがって、UL-SCHデータは、PUSCHで送信されない。さらに、CQI-request = 1と基地局によって割り当てられたPRBの数とによって、ユーザ機器は、PUSCHを通じてチャネル品質情報のみを送信することができる。
【００４７】
加えて、UL-grantシグナリングは、1つのTBの送信をサポートする可能性があり、2つのTBの送信をサポートする可能性もある。したがって、上述のステップ12において、基地局が、再送信データパケットに対応する変調符号化方式を示すためにUL-grantシグナリングを構成することは、以下を含み得る。
UL-grantシグナリングが1つのトランスポートブロックの送信をサポートする場合、基地局は、再送信データパケットに対応する変調符号化方式を示すためにUL-grantシグナリングでそのトランスポートブロックに対応するインジケータビットを構成し、最初の送信データパケットを示すためにUL-grantシグナリングで新規データインジケータを構成する。あるいは、基地局は、最初の送信データパケットに対応する変調符号化方式および再送信データパケットを示す新規データインジケータを示すためにUL-grantシグナリングでそのトランスポートブロックに対応するインジケータビットを構成する。
あるいは、UL-grantシグナリングが2つのトランスポートブロックの送信をサポートする場合、基地局は、再送信データパケットに対応する変調符号化方式を示すためにUL-grantシグナリングでそれら2つのトランスポートブロックの両方に対応するビットフィールドを構成し、最初の送信データパケットを示すために新規データインジケータを構成する。あるいは、基地局は、最初の送信データパケットに対応する変調符号化方式を示すためにUL-grantシグナリングでそれら2つのトランスポートブロックの両方に対応するビットフィールドを構成し、再送信データパケットを示すために新規データインジケータを構成する。
あるいは、UL-grantシグナリングが2つのトランスポートブロックの送信をサポートする場合、基地局は、再送信データパケットに対応する変調符号化方式を示すためにUL-grantシグナリングでそれら2つのトランスポートブロックのうちの1つに対応するインジケータビットを構成し、最初の送信データパケットを示すために新規データインジケータを構成するか、または基地局は、最初の送信データパケットに対応する変調符号化方式を示すためにUL-grantシグナリングでそれら2つのトランスポートブロックのうちの1つに対応するインジケータビットを構成し、再送信データパケットを示すために新規データインジケータを構成する。
【００４８】
UL-grantシグナリングの複数のフィールドを構成することによって、ユーザ機器は、基地局によって割り当てられたリソースブロックに従ってアップリンク共有チャネルで基地局にチャネル品質情報のみを送信するようにトリガされることが理解され得る。
【００４９】
図2に示されるように、上述の実施形態のチャネル品質情報を送信するための方法に対応して、本発明の一実施形態は、
Y個のダウンリンクキャリアのチャネル品質情報が、X個のアップリンクキャリアを通じてユーザ機器によって基地局にフィードバックされる必要があるときに、チャネル品質情報のビット数と、XおよびYが1以上の正の整数である構成X/Yに対応する1組のリソースブロック数とに応じてユーザ機器にリソースブロックを割り当てるように適合された割り当てユニット21、ならびに
割り当てられたリソースブロックの数をアップリンクスケジューリングのUL-grantに関する制御シグナリングで構成し、そのシグナリングをユーザ機器に送信するように適合された構成ユニット22を含む基地局を提供する。
【００５０】
本発明のこの実施形態において、チャネル品質情報は、CQI、PMI、およびRIを含み得る。チャネル品質情報は、UCIと呼ばれることもある。
【００５１】
図3に示されるように、本発明のこの実施形態の基地局は、
構成X/Yに対応する1組のリソースブロック数を記憶するように適合された第1のストレージユニット31をさらに含み得る。基地局がアップリンク共有チャネルでチャネル品質情報のみを送信するようにユーザ機器に要求する状況で、Z個のリソースブロックが、チャネル品質情報のビット数と、構成X/Yに対応する記憶された1組のリソースブロック数とに応じて基地局によってユーザ機器に割り当てられ、Zは、構成X/Yに対応するその1組のリソースブロック数に属する正の整数である。
【００５２】
構成X/Yに対応する1組のリソースブロック数は、基地局の情報テーブルに記憶される。情報テーブルは、以下を含み得る。
X = 1およびY = 1の状況の構成1/1に対応する1組のリソースブロック数。構成1/1に対応する1組のリソースブロック数は、MおよびNが1以上の正の整数であるものとして、ユーザ機器が1つのアップリンクキャリアを通じて1つのダウンリンクキャリアのチャネル品質情報をフィードバックする必要があり、そのダウンリンクキャリアのチャネル品質情報がM個の異なるビット数を有する状況で、1つのダウンリンクキャリアのチャネル品質情報に関するM個の異なるビット数に割り当てられ得るN個の異なるリソースブロック数を含むか、またはN個の異なるリソースブロック数の中の最大値である第1の最大値以下の正の整数を含む。
X≠1またはY≠1の状況の構成X/Yに対応する1組のリソースブロック数。構成X/Yに対応する1組のリソースブロック数は、Lは1より大きい正の整数であるものとして、N個の異なるリソースブロック数および構成X/Yに応じて得られるL個の異なるリソースブロック数を含むか、またはL個の異なるリソースブロック数の中の最大のリソースブロック数である第2の最大値以下の正の整数を含む。
【００５３】
特に、情報テーブルと、構成X/Yに対応する1組のリソースブロック数とについての詳細については、図1に示された実施形態に立ち返ることができ、本明細書において詳細な説明は繰り返さない。
【００５４】
任意的に、本発明のこの実施形態の基地局の構成ユニット22は、
ユーザ機器が、基地局によって割り当てられたリソースブロックに従ってアップリンク共有チャネルで基地局にチャネル品質情報のみを送信するように、再送信データパケットに対応する変調符号化方式、チャネル品質情報トリガ要求、および割り当てられたリソースブロックの数を示すためにUL-grantシグナリングを構成し、そのUL-grantシグナリングをユーザ機器に送信するように適合された第1の構成ユニット221を含み得る。
【００５５】
特に、第1の構成ユニット221は、
UL-grantシグナリングが1つのトランスポートブロックの送信をサポートする場合に、再送信データパケットに対応する変調符号化方式を示すためにUL-grantシグナリングでそのトランスポートブロックに対応するビットフィールドを設定するように適合された第1の構成サブユニットと、
UL-grantシグナリングが2つのトランスポートブロックの送信をサポートする場合に、再送信データパケットに対応する変調符号化方式を示すためにUL-grantシグナリングでそれら2つのトランスポートブロックに対応するビットフィールドを構成するか、またはUL-grantシグナリングが2つのトランスポートブロックの送信をサポートする場合に、再送信データパケットに対応する変調符号化方式を示すためにUL-grantシグナリングでそれら2つのトランスポートブロックのうちの1つに対応するビットフィールドを構成するように適合された第2の構成サブユニットとを含み得る。
【００５６】
特に、第1の構成ユニット221を理解するために、図1に示された実施形態と同じ内容が参照可能であり、詳細の説明は、本明細書において繰り返さない。
【００５７】
3GPP_Rel-8規格との下位互換性を保つように3GPP_Rel-8規格に基づいて、UL-grantシグナリングは、基地局によって割り当てられたPRBの数に従ってPUSCHでUCIを送信するようにユーザ機器に指示するために構成されることが理解され得る。さらに、UCI情報のビットサイズが特定の制限を超えるときにリソースが制限されるかまたはUCIの送信性能が落ちる問題が、複雑化することなしに解決される。
【００５８】
任意的に、本発明のこの実施形態の基地局の構成ユニット22は、
ユーザ機器が、基地局によって割り当てられたリソースブロックに従ってアップリンク共有チャネルで基地局にチャネル品質情報のみを送信するように、対応するトランスポートブロックが無効化されることを示すためにUL-grantシグナリングで少なくとも1つのトランスポートブロックに対応するビットフィールドを構成し、チャネル品質情報トリガ要求、および割り当てられたリソースブロックの数を示すためにUL-grantシグナリングを構成し、次いで、そのUL-grantシグナリングをユーザ機器に送信するように適合された第2の構成ユニット222を含み得る。
【００５９】
データがアップリンク共有チャネルで送信されないことを示すためにUL-grantシグナリングの複数のフィールドが構成可能である限り、UL-grantシグナリングのどの特定のフィールドが構成されるかについて制限はないことが理解され得る。したがって、ユーザ機器は、基地局によって割り当てられたリソースブロックの数に従ってアップリンク共有チャネルで基地局にチャネル品質情報のみを送信することができる。
【００６０】
特に、第2の構成ユニット222についての詳細に関しては、図1に示された実施形態が参照可能であり、本明細書において詳細に説明されない。
【００６１】
任意的に、本発明のこの実施形態の基地局の構成ユニット22は、
ユーザ機器が、基地局によって割り当てられたリソースブロックの数に従ってアップリンク共有チャネルで基地局にチャネル品質情報のみを送信するように、再送信データパケットに対応する変調符号化方式を示すためにUL-grantシグナリングを構成し、最初の送信データパケットを示すためにUL-grantで新規データインジケータを構成し、チャネル品質情報トリガ要求、および基地局によって割り当てられたリソースブロックの数を示すためにUL-grantシグナリングを構成するように適合された第3の構成ユニット223を含み得る。
【００６２】
あるいは、基地局は、ユーザ機器が、基地局によって割り当てられたリソースブロックの数に従ってアップリンク共有チャネルで基地局にチャネル品質情報のみを送信するように、最初の送信データパケットに対応する変調符号化方式、再送信データパケットを示す新規データインジケータ、チャネル品質情報トリガ要求、および基地局によって割り当てられたリソースブロックの数を示すためにUL-grantシグナリングを構成する。
【００６３】
特に、第3の構成ユニット223は、
UL-grantシグナリングが1つのトランスポートブロックの送信をサポートする場合に、再送信データパケットに対応する変調符号化方式を示すためにUL-grantシグナリングでそのトランスポートブロックに対応するビットフィールドを構成し、最初の送信データパケットを示すために新規データインジケータを構成するか、または最初の送信データパケットに対応する変調符号化方式を示すためにUL-grantシグナリングでそのトランスポートブロックに対応するビットフィールドを構成し、再送信データパケットを示すために新規データインジケータを構成するように適合された第3の構成サブユニットと、
UL-grantシグナリングが2つのトランスポートブロックの送信をサポートする場合に、再送信データパケットに対応する変調符号化方式を示すためにUL-grantシグナリングでそれら2つのトランスポートブロックに対応するビットフィールドを構成し、最初の送信データパケットを示すために新規データインジケータを構成するように適合されるか、または最初の送信データパケットに対応する変調符号化方式を示すためにUL-grantシグナリングでそれら2つのトランスポートブロックに対応するビットフィールドを構成し、再送信データパケットを示すために新規データインジケータを構成するように適合された第4の構成サブユニットとを含み得る。あるいは、UL-grantシグナリングが2つのトランスポートブロックの送信をサポートする場合、第4の構成サブユニットは、再送信データパケットに対応する変調符号化方式を示すためにUL-grantシグナリングでそれら2つのトランスポートブロックのうちの1つに対応するビットフィールドを構成し、最初の送信データパケットを示すために新規データインジケータを構成するように適合されるか、または最初の送信データパケットに対応する変調符号化方式を示すためにUL-grantシグナリングでそれら2つのトランスポートブロックのうちの1つに対応するビットフィールドを構成し、再送信データパケットを示すために新規データインジケータを構成するように適合されている。
【００６４】
特に、第3の構成ユニット223は、図1に示された実施形態を参照することによって理解でき、説明は本明細書において繰り返さない。
【００６５】
基地局は、チャネル品質情報のビット数および1組のリソースブロック数に応じてユーザ機器にリソースブロックを割り当てることができることが、本発明のこの実施形態によって提供される上述の技術的な解決策から理解され得る。結果として、アップリンクスケジューリング帯域幅が、チャネル品質情報を送信するためにより適応的に割り当てられ得る。加えて、ユーザ機器がチャネル品質情報を送信する決まった帯域幅リソースが原因で送信性能が保証できないという弱点が、解決され得る。
【００６６】
図4に示されるように、本発明の一実施形態は、チャネル品質情報を送信するための方法を提供する。方法は、以下のステップを含む。
【００６７】
ステップ41: 基地局が、対応するトランスポートブロックが無効化されることを示すためにUL-grantシグナリングで少なくとも1つのトランスポートブロックに対応するビットフィールドを構成し、チャネル品質情報トリガ要求、および割り当てられたリソースブロックの数を示すためにUL-grantシグナリングを構成する。
【００６８】
ステップ42: ユーザ機器が、基地局によって割り当てられたリソースブロックに従ってアップリンク共有チャネルで基地局にチャネル品質情報のみを送信することができるように、基地局が、そのUL-grantシグナリングをユーザ機器に送信する。
【００６９】
特に、チャネル品質情報の送信をトリガすることの詳細に関しては、図1に示された実施形態が参照可能であり、詳細な説明は、本明細書において繰り返さない。
【００７０】
TBの無効化とCQI-request = 1とが、アップリンク共有チャネルで基地局にチャネル品質情報のみを送信するようにユーザ機器をトリガするために使用可能であることが理解され得る。さらに、基地局によってユーザ機器に割り当てられたリソースブロックの数を用いて、ユーザ機器は、基地局によって割り当てられたリソースブロックに従ってアップリンク共有チャネルで基地局にチャネル品質情報を送信することができる。
【００７１】
また、アップリンク共有チャネルで基地局にチャネル品質情報のみを送信するようにユーザ機器をトリガするためにUL-grantシグナリングの複数のフィールドが構成される限り、UL-grantシグナリングのどの特定のフィールドが構成されるかについて制限はない。さらに、ユーザ機器は、基地局によって割り当てられたリソースブロックに従ってアップリンク共有チャネルで基地局にチャネル品質情報のみを送信する。
【００７２】
例えば、UL-grantシグナリングの「Precoding information」フィールドは、UCIを送信するためのプリコーディングベクトルを示すことができる。UCIが1つのCWで送信されるのか、それとも2つのCWで送信されるのかが暗黙的に知られる可能性があり、チャネル行列のrank(ランク)も暗黙的に知られる可能性がある。したがって、「Precoding information」フィールドは、アップリンク共有チャネルで基地局にチャネル品質情報のみを送信するようにユーザ機器をトリガするためにUL-grantシグナリングのその他のフィールドと一緒に構成され得る。
【００７３】
基地局は、チャネル品質情報のビットおよび1組のリソースブロック数に応じてユーザ機器にリソースブロックを割り当てることができることが、本発明のこの実施形態によって提供される上述の技術的な解決策から理解され得る。結果として、アップリンクスケジューリング帯域幅が、チャネル品質情報を送信するためにより柔軟に割り当てられ得る。加えて、ユーザ機器がチャネル品質情報を送信する決まった帯域幅リソースが原因で送信性能が保証できないという弱点が、解決され得る。
【００７４】
図5に示されるように、上述の実施形態のチャネル品質情報を送信するための方法に対応して、本発明の一実施形態は、
対応するトランスポートブロックが無効化されることを示すためにUL-grantシグナリングで少なくとも1つのトランスポートブロックに対応するビットフィールドを構成し、チャネル品質情報トリガ要求、および割り当てられたリソースブロックの数を含めるためにUL-grantシグナリングを構成するように適合された第4の構成ユニット51と、
ユーザ機器が、基地局によって割り当てられたリソースブロックに従ってアップリンク共有チャネルで基地局にチャネル品質情報のみを送信するように、UL-grantシグナリングをユーザ機器に送信するように適合された送信ユニット52とを含む基地局を提供する。
【００７５】
特に、本発明のこの実施形態による基地局については、図1に示された実施形態の対応する説明を参照可能であり、詳細な説明は本明細書において繰り返さない。
【００７６】
TBが無効化され、CQI-request = 1であることに基づいて、ユーザ機器は、アップリンク共有チャネルで基地局にチャネル品質情報のみを送信するようにトリガされ得ることが理解され得る。さらに、基地局によってユーザ機器に割り当てられたリソースブロックの数を用いて、ユーザ機器は、基地局によって割り当てられたリソースブロックに従ってアップリンク共有チャネルで基地局にチャネル品質情報を送信することができる。
【００７７】
基地局は、チャネル品質情報のビットおよび1組のリソースブロック数に応じてユーザ機器にリソースブロックを割り当てることができることが、本発明のこの実施形態によって提供される上述の技術的な解決策から理解され得る。したがって、アップリンクスケジューリング帯域幅が、チャネル品質情報を送信するために柔軟に割り当てられ得る。加えて、ユーザ機器がチャネル品質情報を送信する決まった帯域幅リソースが原因で送信性能が保証できないという弱点が、解決され得る。
【００７８】
図6に示されるように、本発明の一実施形態は、チャネル品質情報を送信するための方法を提供する。方法は、以下のステップを含む。
【００７９】
ステップ61: Y個のダウンリンクキャリアのチャネル品質情報が、X個のアップリンクキャリアを通じてユーザ機器によって基地局にフィードバックされる必要があるとき、ユーザ機器が、アップリンクスケジューリングのUL-grantに関する制御シグナリングを受信し、チャネル品質情報のビット数と、XおよびYが1以上の正の整数である構成X/Yに対応するリソースブロックの数とに応じて基地局によってユーザ機器に割り当てられたリソースブロックの数を得る。
【００８０】
ステップ62: ユーザ機器が、基地局によって割り当てられたリソースブロックに従って基地局にチャネル品質情報を送信する。
【００８１】
本発明のこの実施形態によるチャネル品質情報を送信するための方法において、基地局は、LTEシステムの基地局である可能性がある。ユーザ機器は、基地局にダウンリンクキャリアのチャネル品質情報を送信する必要がある。チャネル品質情報は、CQI、PMI、およびRIを含む可能性があり、UCIとも呼ばれる。
【００８２】
本発明のこの実施形態によるチャネル品質情報を送信するための方法は、以下のステップをさらに含み得る。
ユーザ機器が、上位レイヤのシグナリングまたは動的なシグナリングによって基地局から構成X/Yに対応する1組のリソースブロック数を取得する。あるいは、ユーザ機器が、構成X/Yに応じて1組のリソースブロック数を暗黙的に導出する可能性がある。
【００８３】
ユーザ機器が、上位レイヤのシグナリングまたは動的なシグナリングによって基地局から構成X/Yに対応する1組のリソースブロック数を取得することができるか、またはUEが、構成X/Yに応じて暗黙的に導出することによってリソースブロックの数の構成[C1, C2, …CN]を知ることができることが理解され得る。
【００８４】
構成X/Yに対応する1組のリソースブロック数は、情報テーブルに記憶され得る。情報テーブルは、以下を含み得る。
X = 1およびY = 1の状況の構成1/1に対応する1組のリソースブロック数。構成1/1に対応する1組のリソースブロック数は、MおよびNが1以上の正の整数であるものとして、ユーザ機器が1つのアップリンクキャリアを通じて1つのダウンリンクキャリアのチャネル品質情報をフィードバックする必要があり、1つのダウンリンクキャリアのチャネル品質情報がM個の異なるビット数を有する状況で、1つのダウンリンクキャリアのチャネル品質情報に関するM個の異なるビット数に割り当てられるN個の異なるリソースブロック数を含むか、またはリソースブロックのN個の異なる数の中の最大の数である第1の最大値以下の正の整数を含む。
X≠1またはY≠1の状況の構成X/Yに対応する1組のリソースブロック数。構成X/Yに対応する1組のリソースブロック数は、Lが1より大きい正の整数であるものとして、N個の異なるリソースブロック数および構成X/Yに応じて得られるL個の異なるリソースブロック数を含むか、またはL個の異なるリソースブロック数の中の最大の数である第2の最大値以下の正の整数を含む。
【００８５】
この実施形態の情報テーブルと構成X/Yに対応する1組のリソースブロック数とを理解するために、図1に示された実施形態を参照することができ、詳細な説明は、本明細書において繰り返さない。
【００８６】
任意的に、本発明のこの実施形態によるチャネル品質情報を送信するための方法のステップ61は、以下を含み得る。
ユーザ機器が、再送信データパケットに対応する変調符号化方式、チャネル品質情報トリガ要求、および割り当てられたリソースブロックの数を示すアップリンクスケジューリングのUL-grantに関する制御シグナリングを受信する。
【００８７】
そのような場合、ユーザ機器は、割り当てられたリソースブロックの数が構成X/Yに対応する1組のリソースブロック数に属すかどうかを判定する。割り当てられたリソースブロックの数が構成X/Yに対応する1組のリソースブロック数に属すと判定される場合、ユーザ機器は、基地局によって割り当てられたリソースブロックに従ってアップリンク共有チャネルで基地局にチャネル品質情報のみを送信する。
【００８８】
対称的に、割り当てられたリソースブロックの数が構成X/Yに対応する1組のリソースブロック数に属すと判定されるとき、ユーザ機器は、アップリンク共有チャネルでチャネル品質情報とUL-SCHデータとを多重化することによってチャネル品質情報をアップリンク共有チャネルでUL-SCHデータと一緒に送信する可能性がある。
【００８９】
特に、この実施形態のUL-grantシグナリングについては、図1に示された実施形態で上で説明されたUL-grantシグナリングの関連する説明が参照可能であり、詳細な説明は本明細書において繰り返さない。
【００９０】
ユーザ機器は、アップリンク共有チャネルでチャネル品質情報のみを送信する可能性があり、またはアップリンク共有チャネルでチャネル品質情報とUL-SCHデータとを多重化することによってアップリンク共有チャネルでチャネル品質情報およびUL-SCHデータを送信する可能性があることが理解され得る。
【００９１】
任意的に、本発明のこの実施形態によるチャネル品質情報を送信するための方法のステップ61は、以下を含み得る。
ユーザ機器が、少なくとも1つのトランスポートブロックに対応するビットフィールドが対応するトランスポートブロックが無効化されることを示すアップリンクスケジューリングのUL-grantに関する制御シグナリングを受信する。アップリンクスケジューリングのUL-grantに関する受信された制御シグナリングは、チャネル品質情報トリガ要求、および割り当てられたリソースブロックの数が含まれることを示す。
【００９２】
そのような場合、ユーザ機器は、基地局によって割り当てられたリソースブロックの数に従ってアップリンク共有チャネルで基地局にチャネル品質情報のみを送信する。
【００９３】
特に、UL-grantシグナリングが1つのTBの送信をサポートする場合、ユーザ機器が、基地局によって割り当てられたリソースブロックの数に従ってアップリンク共有チャネルで基地局にチャネル品質情報のみを送信するように、ユーザ機器によって受信されるUL-grantシグナリングは、そのTBに対応するビットフィールドが対応するTBがdisable(無効化)されることを示すようにするために基地局によって構成されており、そのUL-grantシグナリングは、チャネル品質情報トリガ要求、および基地局によって割り当てられたリソースブロックの数を示すために構成されている。
【００９４】
あるいは、UL-grantシグナリングが2つのTBの送信をサポートする場合、ユーザ機器が、基地局によって割り当てられたリソースブロックの数に従ってアップリンク共有チャネルで基地局にチャネル品質情報のみを送信することができるように、ユーザ機器によって受信されるUL-grantシグナリングは、それら2つのTBのうちの1つに対応するビットフィールドが対応するTBが無効化されることを示すようにするために基地局によって構成されており、チャネル品質情報トリガ要求、および基地局によって割り当てられたリソースブロックの数を示すために構成されている。
【００９５】
あるいは、UL-grantシグナリングが2つのトランスポートブロックの送信をサポートする場合、ユーザ機器が、基地局によって割り当てられたリソースブロックの数に従ってアップリンク共有チャネルで基地局にチャネル品質情報のみを送信することができるように、ユーザ機器によって受信されるUL-grantシグナリングは、それら2つのTBに対応するビットフィールドがそれら2つのTBの両方が無効化されることを示すようにするために基地局によって構成されており、そのUL-grantシグナリングは、チャネル品質情報トリガ要求、および基地局によって割り当てられたリソースブロックの数を示すために構成されている。
【００９６】
特に、UL-grantシグナリングの詳細については、図1に示された実施形態のUL-grantシグナリングの関連する説明が参照可能であり、説明は本明細書において繰り返さない。
【００９７】
任意的に、本発明のこの実施形態によるチャネル品質情報を送信するための方法のステップ61は、以下を含み得る。
ユーザ機器が、再送信データパケットに対応する変調符号化方式、最初の送信データパケットを示す新規データインジケータ、およびチャネル品質情報トリガ要求、および基地局によって割り当てられたリソースブロックの数を示すアップリンクスケジューリングのUL-grantに関する制御シグナリングを受信する。あるいは、受信されるUL-grantシグナリングは、最初の送信データパケットに対応する変調符号化方式、再送信データパケットを示す新規データインジケータ、およびチャネル品質情報トリガ要求、および基地局によって割り当てられたリソースブロックの数を示す。
【００９８】
そのような場合、ユーザ機器は、基地局によって割り当てられたリソースブロックの数に従ってアップリンク共有チャネルで基地局にチャネル品質情報のみを送信することができる。
【００９９】
特に、UL-grantシグナリングに関しては、図1に示された実施形態の関連する説明が参照可能であり、詳細な説明は、本明細書において繰り返さない。
【０１００】
基地局は、チャネル品質情報のビット数および1組のリソースブロック数に応じてユーザ機器にリソースブロックを割り当てることができることが、本発明のこの実施形態によって提供される上述の技術的な解決策から理解され得る。結果として、アップリンクスケジューリング帯域幅が、チャネル品質情報を送信するためにより柔軟に割り当てられ得る。加えて、ユーザ機器がチャネル品質情報を送信する決まった帯域幅リソースが原因でチャネル品質情報の送信性能が保証できないという弱点が、解決され得る。
【０１０１】
本発明のこの実施形態によるチャネル品質情報を送信するための上述の方法において、ステップ62は、以下を含み得る。
基地局によって割り当てられたリソースブロックの数がチャネル品質情報の送信のために十分でないとき、ユーザ機器が、チャネル品質情報を複数のデータパケットに分割し、複数のデータパケットを複数の連続するアップリンクサブフレームによって基地局に送信する。
【０１０２】
ユーザ機器によるチャネル品質情報を複数のデータパケットに分割する方法は、以下を含み得る。
チャネル品質情報は、チャネル品質情報のビット数に応じて、同じビット数を有する複数のデータパケットに一様に分割される。
あるいは、異なるダウンリンクキャリアに対応するチャネル品質情報が、異なるデータパケットに分割される。
あるいは、チャネル品質情報は、同じ内容を有するチャネル品質情報が同じデータパケットに分割されるようにするためにそのチャネル品質情報の内容に応じて分割される。つまり、チャネル品質情報のビット数は、チャネル品質情報のさまざまな内容に基づいて変わり、同じ内容を有するチャネル品質情報が、同じデータパケットに分割される。
【０１０３】
任意的に、本発明のこの実施形態によるチャネル品質情報を送信するための方法においては、ユーザ機器がチャネル品質情報をフィードバックする複数のアップリンクサブフレームの数が、上位レイヤのシグナリングまたは動的なシグナリングの構成を通じてユーザ機器によって取得される可能性がある。
【０１０４】
ユーザ機器によってフィードバックされるチャネル品質情報のビットが基地局によって割り当てられる送信帯域幅を超えるとしても、ユーザ機器は、送信性能を満足するようにチャネル品質情報を複数のデータパケットに分割することができることが、本発明のこの実施形態によって提供される技術的な解決策から理解され得る。
【０１０５】
図7に示されるように、上述の実施形態のチャネル品質情報を送信するための方法に対応して、本発明の一実施形態は、
Y個のダウンリンクキャリアのチャネル品質情報が、X個のアップリンクキャリアを通じて基地局にユーザ機器によってフィードバックされる必要があるときに、アップリンクスケジューリングのUL-grantに関する制御シグナリングを受信し、チャネル品質情報のビット数と、XおよびYが1以上の正の整数である構成X/Yに対応する1組のリソースブロック数とに応じて基地局によってユーザ機器に割り当てられたリソースブロックの数を取得するように適合された受信ユニット71、ならびに
基地局によって割り当てられたリソースブロックに従って基地局にチャネル品質情報を送信するように適合された送信ユニット72を含むユーザ機器を提供する。
【０１０６】
基地局は、LTEシステムの基地局である可能性があり、ユーザ機器は、ダウンリンクキャリアに対応するチャネル品質情報を基地局に送信する必要がある。チャネル品質情報は、CQI、PMI、およびRIを含む可能性がある。チャネル品質情報は、UCIとも呼ばれる。
【０１０７】
基地局は、チャネル品質情報のビット数および1組のリソースブロック数に応じてユーザ機器にリソースブロックを割り当てることができることが、本発明のこの実施形態によって提供される上述の技術的な解決策から理解され得る。結果として、アップリンクスケジューリング帯域幅が、チャネル品質情報を送信するために柔軟に割り当てられ得る。加えて、ユーザ機器がチャネル品質情報を送信する決まった帯域幅リソースが原因でチャネル品質情報の送信性能が保証できないという弱点が、解決され得る。
【０１０８】
図8に示されるように、本発明のこの実施形態のユーザ機器は、
上位レイヤのシグナリングもしくは動的なシグナリングの構成によって基地局から構成X/Yに対応する1組のリソースブロック数を取得するか、または構成X/Yに応じて構成X/Yに対応する1組のリソースブロック数を暗黙的に導出するように適合された取得ユニット81と、
構成X/Yに対応する1組のリソースブロック数を情報テーブルに記憶するように適合された第2のストレージユニット82と、
割り当てられたリソースブロックの数が構成X/Yに対応する1組のリソースブロック数に属すかどうかを判定するように適合された判定ユニット83とをさらに含み得る。
【０１０９】
情報テーブルと1組のリソースブロック数とに関しては、図1に示された実施形態が参照可能であり、本明細書において詳細な説明は繰り返さない。
【０１１０】
任意的に、受信ユニット71は、
再送信データパケットに対応する変調符号化方式、チャネル品質情報トリガ要求、および割り当てられたリソースブロックの数を示すアップリンクスケジューリングのUL-grantに関する制御シグナリングを受信するように適合された第1の受信ユニットを含み得る。
【０１１１】
そのような場合、判定ユニット83が、割り当てられたリソースブロックの数が構成X/Yに対応する1組のリソースブロック数に属すかどうかを判定し、送信ユニット72が、基地局によって割り当てられたリソースブロックに従ってアップリンク共有チャネルで基地局にチャネル品質情報のみを送信する。
【０１１２】
特に、UL-grantシグナリングに関しては、図1に示された実施形態の関連するUL-grantシグナリングが参照可能であり、詳細な説明は、本明細書において繰り返さない。
【０１１３】
任意的に、受信ユニット71は、
少なくとも1つのトランスポートブロックに対応するビットフィールドが対応するトランスポートブロックが無効化されることを示し、チャネル品質情報トリガ要求、および割り当てられたリソースブロックの数が含まれることを示すアップリンクスケジューリングのUL-grantに関する制御シグナリングを受信するように適合された第2の受信ユニットを含み得る。
【０１１４】
特に、UL-grantシグナリングに関しては、図1に示された実施形態の関連するUL-grantシグナリングが参照可能であり、詳細な説明は、本明細書において繰り返さない。
【０１１５】
任意的に、受信ユニット71は、
再送信データパケットに対応する変調符号化方式、最初の送信データパケットを示す新規データインジケータ、チャネル品質情報トリガ要求、および基地局によって割り当てられたリソースブロックの数を含むアップリンクスケジューリングのUL-grantに関する制御シグナリングを受信するように適合された第3の受信ユニットを含み得る。あるいは、受信されるUL-grantシグナリングは、最初の送信データパケットに対応する変調符号化方式、再送信データパケットを示す新規データインジケータ、チャネル品質情報トリガ要求、および基地局によって割り当てられたリソースブロックの数を含む。
【０１１６】
特に、UL-grantシグナリングに関しては、図1に示された実施形態の関連するUL-grantシグナリングが参照可能であり、詳細な説明は、本明細書において繰り返さない。
【０１１７】
任意的に、送信ユニット72は、
基地局によって割り当てられたリソースブロックの数がチャネル品質情報の送信のために十分でないときに、チャネル品質情報を複数のデータパケットに分割するように適合された分割サブユニットと、
複数のデータパケットを複数の連続するアップリンクサブフレームによって基地局に送信するように適合された送信サブユニットとを含み得る。
【０１１８】
さらに、分割サブユニットは、
チャネル品質情報のビット数に応じてチャネル品質情報を同じビット数を有する複数のデータパケットに一様に分割するように適合された第1の分割サブユニット、または
異なるダウンリンクキャリアのチャネル品質情報を異なるデータパケットに分割するように適合された第2の分割サブユニット、または
チャネル品質情報の内容に応じて、同じ内容を有するチャネル品質情報を同じデータパケットに分割するように適合された第3の分割サブユニットを含み得る。
【０１１９】
本発明のこの実施形態によるチャネル品質情報を送信するための方法においては、ユーザ機器がチャネル品質情報をフィードバックする複数のアップリンクサブフレームの数が、上位レイヤのシグナリングまたは動的なシグナリングの構成を通じて取得される可能性がある。
【０１２０】
基地局は、チャネル品質情報のビット数と1組のリソースブロック数の情報との間の対応するテーブルを記憶し、基地局は、チャネル品質情報のビットサイズに応じてアップリンクスケジューリング帯域幅を適応的に割り当てることが、本発明のこの実施形態によって提供される上述の技術的な解決策から理解され得る。
【０１２１】
ユーザ機器によってフィードバックされるチャネル品質情報のビットが基地局によって割り当てられる送信帯域幅を超えるとしても、ユーザ機器は、送信性能を満足するようにチャネル品質情報を複数のデータパケットに分割することができる。
【０１２２】
本発明のこの実施形態によるチャネル品質情報を送信するための方法が、3GPP_Rel-8規格との下位互換性を保つようにLTE-A(LTE-Advanced、LTEアドバンスト)システムに関連して以下で説明される。UL-grantの「IMCS = 29」、「CQI-request = 1」、および「NPRB = n_PRB_UCI(n_PRB_UCI∈N_PRB_UCI)」が、UCIのみがPUSCHで送信されることを一緒になって示すために使用される。
【０１２３】
特に、基地局は、PUSCHでのUCIのみの送信を一緒になってトリガするためにUL-grantシグナリングで「IMCS = 29」、「CQI-request = 1」、および「NPRB = n_PRB_UCI(n_PRB_UCI∈N_PRB_UCI)」を構成する。
【０１２４】
基地局は、適合されたUL-grantシグナリングをUEに送信する。
【０１２５】
「IMCS = 29」が再送信データパケットを示し、「CQI-request = 1」がCQIトリガ要求を示し、NPRBがn_PRB_UCIの中の値であるNPRB = n_PRB_UCI(n_PRB_UCI∈N_PRB_UCI)であると判定するとき、UEは、PUSCHでUCIのみを送信する条件が満たされていると判定し、次いで、PUSCHで基地局にUCIのみを送信する。
【０１２６】
そうではなく、PUSCHでUCIのみを送信する条件が満たされていないと判定される場合、PUSCHでのUCIのみの送信はトリガされない。
【０１２７】
UL-grantシグナリングが1つのTBの送信をサポートする場合、上述の方法は、PUSCHでUCIのみを送信するようにUEに指示するために直接使用される。
【０１２８】
UL-grantシグナリングが2つのTBの送信をサポートする場合、2つのTBの両方が「IMCS = 29」を満たすか、または2つのTBのうちの1つだけが「IMCS = 29」を満たし、これは、PUSCHでのUCIのみの送信を一緒になってトリガするためにNPRB = n_PRB_UCI(n_PRB_UCI∈N_PRB_UCI)および「CQI-request = 1」とともに使用される。
【０１２９】
基地局は、チャネル品質情報のビット数と1組のリソースブロック数の情報との間の対応するテーブルを記憶し、基地局は、チャネル品質情報のビットサイズに応じてアップリンクスケジューリング帯域幅を適応的に割り当てることが、本発明のこの実施形態によって提供される上述の技術的な解決策から理解され得る。
【０１３０】
本発明のこの実施形態によるチャネル品質情報を送信するための方法が、LTE-Aシステムに関連して以下で説明される。PUSCHでのUCIのみの送信を一緒になってトリガするために、UL-grantシグナリングの「IMCS = 29」または「IMCS = 0」、トグル式に切り替えられる(トグル式に切り替えられた状態にある)かまたはトグル式に切り替えられていない状態にある「NDI」、「CQI-request = 1」、およびNPRB = n_PRB_UCI(n_PRB_UCI∈N_PRB_UCI)が使用される。
【０１３１】
特に、基地局は、PUSCHでのUL-SCHデータをともなわないUCIのみの送信を示すために、UL-grantシグナリングで「IMCS = 29」、トグル式に切り替えられたNDI、「NDI = 0」、「CQI-request = 1」、およびNPRB = n_PRB_UCI(n_PRB_UCI∈N_PRB_UCI)を構成する。トグル式に切り替えられたNDIを構成するために、前回NDI = 1であった場合は「NDI = 0」が構成され、または前回NDI = 0であった場合は「NDI = 1」が構成される。トグル式に切り替えられたNDIは、新規のデータパケットの送信を示す。
【０１３２】
あるいは、基地局は、PUSCHでのUL-SCHデータをともなわないUCIのみの送信を示すために、UL-grantシグナリングで「IMCS = 0」、トグル式に切り替えられていないNDI、「CQI-request = 1」、およびNPRB = n_PRB_UCI(n_PRB_UCI∈N_PRB_UCI)を構成する。トグル式に切り替えられていないNDIに関しては、前回NDI = 0であった場合は「NDI = 0」が構成され、または前回NDI = 1であった場合は「NDI = 1」が構成される。トグル式に切り替えられていないNDIは、再送信データパケットを示す。
【０１３３】
基地局は、構成されたUL-grantシグナリングをUEに送信する。
【０１３４】
「IMCS = 29」が再送信データパケットを示し、「トグル式に切り替えられたNDI」が最初の送信データパケットを示し、「CQI-request = 1」がCQIトリガ要求を示し、NPRBがn_PRB_UCIに属する値であるNPRB = n_PRB_UCI(n_PRB_UCI∈N_PRB_UCI)であると判定するとき、UEは、PUSCHでUCIのみを送信する条件が満たされていると判定する。
【０１３５】
あるいは、「IMCS = 0」が最初の送信データパケットを示し、「トグル式に切り替えられていないNDI」が再送信データパケットを示し、「CQI-request = 1」がCQIトリガ要求を示し、NPRBがn_PRB_UCIに属する値であるNPRB = n_PRB_UCI(n_PRB_UCI∈N_PRB_UCI)であると判定するとき、UEは、PUSCHでUCIのみを送信する条件が満たされていると判定する。
【０１３６】
UEは、PUSCHで基地局にUCIのみを送信する。
【０１３７】
そうでない場合、UEは、PUSCHでUCIのみを送信する条件が満たされていないと判定し、したがって、PUSCHでのUCIのみの送信を行わない。
【０１３８】
UL-grantシグナリングが1つのTBの送信だけをサポートする場合、上述の方法は、PUSCHでのUCIのみの送信をトリガするために直接使用される。
【０１３９】
UL-grantシグナリングが2つのTBの送信をサポートする場合、第1のTBに関して、トグル式に切り替えられたNDIおよび「IMCS = 29」が、PUSCHでのUCIのみの送信をトリガするために一緒に使用されるか、またはトグル式に切り替えられていないNDIが、PUSCHでのUCIのみの送信をトリガするために「IMCS = 0」とともに一緒に使用される。第2のTBに関しては、トグル式に切り替えられたNDIおよび「IMCS = 29」、またはトグル式に切り替えられていないNDIおよび「IMCS = 0」が、PUSCHでのUCIのみの送信をトリガするためにNPRB = n_PRB_UCI(n_PRB_UCI∈N_PRB_UCI)および「CQI-request = 1」と組み合わせて一緒に使用される。
【０１４０】
あるいは、2つのTBのうちの少なくとも1つに関して、NPRB = n_PRB_UCI(n_PRB_UCI∈N_PRB_UCI)および「CQI-request = 1」と組み合わされたトグル式に切り替えられたNDIおよび「IMCS = 29」、またはトグル式に切り替えられていないNDIおよび「IMCS = 0」が、PUSCHでのUCIのみの送信をトリガするために一緒に使用される。
【０１４１】
基地局は、チャネル品質情報のビット数と1組のリソースブロック数の情報との間の対応するテーブルを記憶し、基地局は、チャネル品質情報のビットサイズに応じてアップリンクスケジューリング帯域幅を適応的に割り当てることが、本発明のこの実施形態によって提供される上述の技術的な解決策から理解され得る。
【０１４２】
上述の方法の実施形態に関しては、説明の都合上、方法が一連の行為として説明されたことに留意されたい。本発明が説明された行為の順序によって限定されないことは、当業者に知られているはずである。一部のステップは、本発明に従って異なる順序で実行されるかまたは同時に実行される可能性がある。さらに、当業者は、本明細書に記載のすべての実施形態は好ましい実施形態であり、関連する行為およびモジュールは本発明に必ずしも必要とされないことも理解するはずである。
【０１４３】
上述の実施形態において、各実施形態の説明は、その説明が重視する点があり、一部の実施形態は、詳細に説明されていない可能性がある。その他の実施形態の関連する説明が、参照され得る。
【０１４４】
当業者は、実施形態による方法のステップのすべてまたは一部が、関連するハードウェアに指示を与えるコンピュータプログラムによって実装され得ることを理解するはずである。プログラムは、コンピュータ可読ストレージ媒体に記憶され得る。プログラムが実行されるとき、実施形態による方法のステップが実行される。ストレージ媒体は、磁気ディスク、CD-ROM、読み出し専用メモリ(Read-Only Memory、ROM)、またはランダムアクセスメモリ(Random Access Memory、RAM)である可能性がある。
【０１４５】
上述の記載は、本発明の例示的な特定の実施形態であるに過ぎず、本発明の保護範囲は、それらの記載に限定されない。本発明の技術的な範囲内で当業者によって容易に想到され得る任意の変更形態または置換形態は、本発明の保護範囲に属するべきである。したがって、本発明の保護範囲は、特許請求の範囲に従うものとする。
【符号の説明】
【０１４６】
21  割り当てユニット
22  構成ユニット
221  第1の構成ユニット
222  第2の構成ユニット
223  第3の構成ユニット
31  第1のストレージユニット
51  第4の構成ユニット
52  送信ユニット
71  受信ユニット
72  送信ユニット
81  取得ユニット
82  第2のストレージユニット
83  判定ユニット
【図１】
0006024993.tif 000002
【図２】
0006024993.tif 000003
【図３】
0006024993.tif 000004
【図４】
0006024993.tif 000005
【図５】
0006024993.tif 000006
【図６】
0006024993.tif 000007
【図７】
0006024993.tif 000008
【図８】
0006024993.tif 000009